(57)【要約】【課題】机下におけるワゴンの格納スペースを簡単に左右に変更可能とし、かつ棚体を机下から取外した状態で物入れ、本棚などに転用可能としたた。【解決手段】少なくとも、机本体１の下部内奥部に脱着可能に棚体２を取り付けた机ユニットにおいて、棚体２は、側板６、６間の内法寸法に略等しい長さであって、その一側部分１０ａを幅広に前方に突出させ、他側部分１０ｂを幅狭の突出幅とした上下一対の棚板１０と、両棚板１０の両端にあって、両棚板１０間を連結した一対の端板１１，１２とを少なくとも備えた箱形若しくは枠形に形成され、前記机本体１に対し、連結手段２１を介して、左右入替え可能に取り付ける。【選択図】    図１
2006068382.tif 000002
【特許請求の範囲】
【請求項１】
少なくとも、一対の側板の上部に机面を構成する天板を配置した机本体と、机本体の下部内奥部に脱着可能に取付けられた棚体と、を備えた机ユニットにおいて、
前記棚体は、前記側板間の内法寸法に略等しい長さであって、その一側部分を幅広に前方に突出させ他側部分を幅狭の突出幅とした上下一対の棚板と、両棚板の両端にあって、両棚板間を連結した一対の端板とを少なくとも備えた箱形若しくは枠形に形成され、前記机本体に対し、連結手段を介して、脱着可能に取付けられた構造であることを特徴とする机ユニット。
【請求項２】
前記棚体を構成する上下一対の棚板間には、前記その一側部分と他側部分の略間において、両棚板間を連結させるように縦仕切板を設けたことを特徴とする請求項１に記載の机ユニット。
【請求項３】
前記棚体を構成する左右の各端板には、同一位置及び同一ピッチで複数の取付部を形成し、前記机本体を構成する左右の各側板の内側に形成した取付部に一致させ、前記連結手段を介して結合することで、棚体が机本体に対し、左右入替え可能に取付けられるようにしたことを特徴とする請求項１又は２に記載の机ユニット。
【請求項４】
前記机本体及び前記棚体には背板が設けられ、各背板部において連結手段を介して前記机本体に対し、棚体を左右入替え可能に取付けられるようにしたことを特徴とする請求項１又は２記載の机ユニット。
【請求項５】
前記棚体を前記机本体から取外した状態で、縦または横にした状態で物入れまたは本箱に転用することを特徴とする請求項１乃至４のいずれか１項に記載の机ユニット。
【請求項６】
前記棚体は、前記机本体に対する取付位置を上下に変更自在としたことを特徴とする請求項１乃至５のいずれか１項に記載の机ユニット。
【請求項７】
前記棚体は、複数上下に重ねられた状態で、前記机本体に取り付けられることを特徴とする請求項１乃至５のいずれか１項に記載の机ユニット。
【請求項８】
少なくとも、一対の側板の上部に机面を構成する天板を配置した机本体と、机本体の下部内奥部に脱着可能に取付けられた棚体と、を備えた机ユニットにおいて、
前記棚体は、前記側板間の内法寸法に略等しい長さであって、前縁及び後縁が直線状の上下一対の棚板と、両棚板の両端にあって、両棚板間を連結した一対の端板とを少なくとも備えた箱形若しくは枠形に形成され、前記机本体に対し、連結手段を介して、脱着可能に取付けられた構造であることを特徴とする机ユニット。
【発明の詳細な説明】
【技術分野】
【０００１】
本発明は学習机又は事務机に適した机ユニットに関し、特に机下に棚体を取り付けた机ユニットの構造に関する。
【背景技術】
【０００２】
最近における学童用の学習机は、単に天板下に引出しを備えるだけでなく、各種物入れ機能を備えた棚を机上または机下に備えたものがある。このような棚は学童の成長に合わせた使い勝手を得るようにし、また、引出しなどの格納スペースを独立したワゴンとして机下の一方に寄せて引出し格納可能に配置し、必要に応じて机から引出して脇机などとして使用できるようにすることによって、一台の学習机を学童期から成人乃至は成人後までも使用可能としている。
【０００３】
このうち、机下に備えられた棚としては、机下の背板に後部を接し、両側を左右側板に連結した棚板方式のものが一般的である。
【発明の開示】
【発明が解決しようとする課題】
【０００４】
このような棚板方式の棚は、机下に本などの格納スペースを確保する目的で設けられたものであるが、机下に固定されているため、主として使用初期段階で活用できる程度のもので、成長過程あるいは成人した状態では使用者の足自体がこれら棚に干渉するため、利用期間は比較的短期間であり、使用者の成長過程で足が干渉するようになり、足元の自由度を制限するばかりか、附属して利用するワゴンや椅子のサイズまで制限するものとなっていた。
【０００５】
また、脱着可能とすることで使用者の成長過程でこれが邪魔となった場合には取除けるようにしたものもあるが、この場合には、棚板を机から取外した上で廃棄しなければならなかった。
【０００６】
更に、固定式の棚において、その一側部分が幅広となり他側部分が幅狭となるように前縁を略Ｌ形に折曲形成したものもある。この場合には、幅狭の側にワゴンを挿入して位置させる必要上、棚の幅狭の側を右側として、ワゴンの配置が例えば通常は右利きの人用となるために、ワゴンを机の向って右側に配置したいわゆる右袖机が主流であり、左利きの人用や周囲の配置スペースの関係から左袖机に変更することはできないものとなっていた。
【０００７】
本発明は、以上の課題を解決するためになされたものであり、その目的は、机下に棚を配置した学習机に適する机ユニットにおいて、使用者が右利きあるいは左利きに応じて、ワゴンの格納スペースを左右いずれかに自由に変更でき、かつ棚体を机下から取外した状態で、物入れ、本棚などに転用可能とした机ユニットを提供するものである。
【課題を解決するための手段】
【０００８】
前記目的を達成するため、本発明は、図の実施の形態にも示されるとおり、少なくとも、一対の側板６、６の上部に机面を構成する天板７を配置した机本体１と、机本体１の下部内奥部に脱着可能に取付けられた棚体２と、を備えた机ユニットにおいて、
前記棚体２は、前記側板６、６間の内法寸法に略等しい長さであって、その一側部分１０ａを幅広に前方に突出させ、他側部分１０ｂを幅狭の突出幅とした上下一対の棚板１０と、両棚板１０の両端にあって、両棚板１０間を連結した一対の端板１１，１２とを少なくとも備えた箱形若しくは枠形に形成され、前記机本体１に対し、連結手段２１を介して、左右入替え可能に取付けられる構造であることを特徴としている。
【０００９】
前記棚体２を構成する上下一対の棚板１０、１０間には、前記その一側部分１０ａと他側部分１０ｂの略中間において、両棚板間を連結させるように縦仕切板１３を設けたことを特徴とする。縦仕切板１３は、棚体２内を左右に区画する仕切板として、又は、補強板として利用できる。また、後述するように、棚体２を本棚として用いた時には、棚板として利用できる。
【００１０】
前記棚体２を構成する左右の各端板１１、１２には、同一位置及び同一ピッチで複数の棚体側取付部１５（取付孔）を形成し、前記机本体１を構成する左右の各側板６、６の内側に形成した机本体側取付部１６（取付孔若しくは埋込みナット）に一致させ、前記連結手段２１（ボルト）を介して結合することで、棚体２が机本体１に対し、左右入替え可能に取付けられるようにしてもよい。この場合、後述する棚体２の背板は、あっても無くても良い。
【００１１】
前記机本体１及び前記棚体２には背板８、１４が設けられ、各背板部において連結手段を介して前記机本体１に対し、棚体２を左右入替え可能に取付けられるようにしてもよい。
【００１２】
前記棚体２を前記机本体１から取外した状態で、縦または横にした状態で物入れまたは本箱に転用することができる。この場合、前記縦仕切板１３は、中間棚板として利用でき、その上下にも棚板を設置して使用することができる。
【００１３】
前記棚体２は、前記机本体１に対する取付位置を上下に変更自在として取り付けることができる。
【００１４】
また、前記棚体２は、複数上下に重ねられた状態で、前記机本体１内に取り付けられることができる。
【００１５】
また、前記棚体２を、その前後縁部を直線状とした、箱形若しくは枠形とすることも可能である。
この場合には、棚体２を机本体１に対し左右入れ替えて取り付ける意味はない。しかしながら、上述したように、棚体２を机本体１から取り外して、物入れ又は本箱として使用することができる。また、棚体２の固定位置を、机本体１の両側板１０、１０間の上下に移動調整させることができ、棚体２を複数段積み重ねるようにして固定させ、或いは使用させることもできる。
【発明の効果】
【００１６】
本発明では、棚体を机下に配置した机ユニットにおいて、棚体の向きを左右に逆転させることにより、右利きや、左利きに応じてワゴンの格納位置を簡単に変更して、右袖机、左袖机とすることができる。また、棚体の端板又は背板が机本体の側板又は背板に接合することで、側板又は背板の補強を行うことができる。
【００１７】
また、使用者などの足が干渉するようになった場合には、棚体を取外すことによって足下のスペースを十分に広く確保すると同時に、取去った棚体を、机本体の外や天板の上において、物入れや本棚として転用できるため、資源の無駄がない。
【００１８】
さらに、棚体の位置を上下に変更し、或いは、複数の棚体を積み重ねるようにして使用することにより、多様なニーズに適合させることができる。
【発明を実施するための最良の形態】
【００１９】
以下本発明の最良の実施の形態につき、添付図面を参照して詳細に説明する。図１〜図５は本発明の第１実施形態を示し、図１は平面図、正面図及び側面図、図２（ａ）〜（ｃ）は右袖机に適用した場合の組立手順を示す斜視図、図３（ａ）〜（ｃ）は同じく左袖机に適合した場合の組立手順を示す斜視図、図４（ａ）は棚を本棚として机の片側部に配置した状態を示す斜視図、（ｂ）は同本棚に間仕切り棚を配置した場合の応用例を示す斜視図、図５は棚を本棚として机の片側部に配置した場合の他の例を示す斜視図である。
【００２０】
各図において、机ユニットは、机本体１と、机本体１の下部内側に脱着可能に固定される棚体２と、机本体１の下部における片側開口部にそれぞれ引出し格納可能に設置されるワゴン３と、ワゴン３と並列して他方側開口部に引出し収納可能に設置される椅子４及び図示しないが、机上に取外し可能に設置される各種棚などから構成され、全体として一セットの学習机として販売される。
【００２１】
前記机本体１は木工製品であり、一対の設置脚部５上にそれぞれ一体に立設された側板６と、両側板６上に固定された机面を構成する天板７及び両側板６の前部に一体化された背板８と、天板７の直下において半分割状態に配置され、天板７に対して前後に引出し可能に収納された一対の抽斗９とを備えている。
【００２２】
前記棚体２は、全体が木工製品であり、かつそれ自体が独立した前面開口の箱形又は枠形に組立てられたものであって、側板６間の内法寸法にほぼ等しい長さとされており、机本体１の天板７の下部において、両側板６間に着脱自在且つ左右入れ替え可能に取り付けられている。
【００２３】
棚体２は、上下一対の棚板１０と左右の端板１１，１２とが箱形又は枠形に組立てられている。棚板２の上下一対の棚板１０は、後縁は直線状であり、前縁は前後方向に略Ｌに切欠き形成され、その広幅に前方に突出状とされた一側部分１０ａは、Ａ４版書籍の短辺側を設置可能な突出幅であり、幅狭の突出幅とされた他側部分１０ｂは、一側部分１０ａの略半分の突出幅とされている。棚体２は、上記上下棚板１０と、両棚板１０の幅広側端部と幅狭側端部にそれぞれ固定され、かつ幅狭側と幅広側に応じた寸法の端板１１，１２と、両端板１０間のほぼ中央に介在固定され、幅広側と幅狭側とに仕切る縦仕切板１３と、棚板１０の奥部に固定された背板１４からなっている。棚板２を枠形に構成させて背板を省略させるようにしても良い。縦仕切板１３は、なくてもよく、また、複数横方向に間隔をおいて設けても良い。
【００２４】
そして、前記端板１１，１２には、上下一対の棚体側取付部１５としての取付孔が開口形成され、これに連結手段２１としてのボルトを通し、前記机本体側取付部１６としての取付孔となる埋込みナット（図１の側面図のみに示す）に螺合することで、棚体２の背面及び左右を前記机本体１の背板８及び側板６の内面に密接した状態で机本体１の下部に、着脱可能に固定できるようになっている。
【００２５】
そして、前記端板１１，１２側の取付部１５（ボルト連結手段２１が挿通される取付孔）及び側板６，６側の取付部１６（埋込みナット）の形成位置は左右同一であって、幅狭側の他側部分１０ｂを前記ワゴン３の格納スペースとし、幅広側の一側部分１０ａを椅子４の格納スペースとしており、更にその一側部分と他側部分の境界の段差位置をなだらかな曲面に形成することで、足が当った際のけがなどを未然に防止するようなっている。
【００２６】
前記ワゴン３は教材入れなどとして活用するものであり、図２〜図４に示すように、筐体の前面に複数段の抽斗１７を引出し可能に設けるとともに、上面に設けた天板１８を脇机として使用可能としたもので、その下部にはキャスタ１９が配置され、通常使用状態では机本体１の内部に格納し、必要に応じて机本体１から引出し、脇机などとして使用可能となっている。
【００２７】
なお前記椅子４は、図例では、高さ及び背もたれ位置調整可能な通常のキャスタ付椅子としているが、机とともにセット販売される木製の学童用椅子であっても良い。
【００２８】
以上の構成において、机を図１の右袖机とする、すなわちワゴン３を机下の右側に配置し、左側に椅子４を配置する場合には、図２（ａ）に示すように、棚体２の他側部分１０ｂ（幅狭側）を右側にし、一側部分１０ａ（幅広側）を左に配置した状態で、棚体２を机本体１の下部に押込み、棚体側取付部１５（取付孔）を机本体側取付部１６（埋込みナット）の位置に一致させた状態で転結手段２１（ボルト）をねじ込めば、図２（ｂ）に示すように、棚体２は机本体に固定される。その後は図２（ｃ）に示すようにそれぞれの位置にワゴン３及び椅子４を押込めば、ワゴン３の先端は図１の平面図に示すように、棚板１０の他側部分１０ｂ（幅狭側）に当接し、その前面側は天板７手前側の直下にほぼ位置し、右袖机として完成する。
【００２９】
また、以上の机を左袖机とする図３（ａ）に示すように、棚体２の他側部分１０ｂ（幅狭側）を左側にし、一側部分１０ａ（幅広側）を右に配置した状態で、机本体１の下部に押込み、棚体側取付部１５（取付孔）を机本体側取付部１６（埋込みナット）の位置に一致させた状態で転結手段２１（ボルト）をねじ込めば、図３（ｂ）に示すように、棚体２は机本体に固定される。その後は図３（ｃ）に示すようにそれぞれの位置にワゴン３及び椅子４を押込めば、同じく左袖机として完成する。
【００３０】
以上のように、１つの机を右利き用にも左利き用にもできるため、使用者に応じて同一製品であってもそれに応じて作り替えることで、販売が可能となる。
【００３１】
完成状態で、それぞれの棚体２は、机下の物入れとして機能するほか、左右の端板１１，１２が側板６に一体化することで、側板６の補強がなされる。なお、棚体２の背板１４を机本体１側の背板８にビスなどを介して固定すれば、背板８側も補強される。この場合においても、左右交換した際に取付位置が同一となる取付孔や、埋込みナットの位置を決めておけばよい。
【００３２】
次に使用者の成長に応じて、足先が前記棚体２に干渉するなどして、棚体２が却って邪魔となった時点で、前記とは逆な作業により棚体２は簡単に机下から取外すことができる。
【００３３】
取外した棚体２は前面開口する独立した一個の箱体であるため、例えば図４（ａ）に示すように、一側部分１０ａ（幅広側）を下部として、机の左右側面に立て掛けることで、物入れまたは本棚として使用可能である。加えて図４（ｂ）に示すように、複数の仕切棚板２０により、更に上下に仕切ることにより、収納冊数を増すことができる。このような使用を見越して、予め前記棚板１０に複数のだぼ孔を形成しておくとともに、だぼ及び仕切棚板２０などを別売とする、あるいは当初からセットに附属させて販売することもできる。
【００３４】
また、図５に示すように前記棚体２の使用に際して、机の左右側面に前面に向くよう配置することもできる。この場合においても複数の仕切棚板２０により更に上下に仕切ることで、収納冊数を増すことができる。
いずれにおいても、物入れまたは本棚として使用する場合は奥行寸法は短いため、机の側面に連結部などを予め設けておき、これを介して机と棚体２とを結合することで、地震などにおける倒れどめができる。
【００３５】
なお、机上に棚がないセットの場合にはこの棚体２を横向きのまま机上にセットして継続使用することも可能であり、また前記背板８が脱着式の場合には、背板８を取外した後、棚体２を裏返した状態で、両側を側板６に固定し、机の前方側からこの棚体２に格納される物品の出納ができる。但し、机の前部側空間が大きく開いている場合に限ってこのような取付変更ができるものとなる。
【００３６】
図６（ａ），（ｂ）は本発明の第２実施形態を示す。図の実施形態においては、側板６に設けられる埋込みナット１６が等ピッチで縦一列に複数設けられているほかは、前記第１実施形態と同様であり、同一箇所には同一符号を付してその説明を省略する。
本実施形態では、例えば図６（ａ）に示すように、棚体２が机下の中間位置に固定されている状態から、抽斗９の奥部直下に位置変更する場合は、図６（ｂ）に示すように、机本体側取付部１６（埋込みナット）のうち最上部に位置決めして固定することで、簡単に上位置に変更できる。
すなわち、本実施形態において、一般に体が小さいうちは棚体２が足先に干渉することはないが、ある程度大きくなった場合には干渉するようになるので、棚体２を取外して物入れまたは本箱に転用するまでの過渡期において、机本体側取付部１６（埋込みナット）を複数段設けておくことで、棚体２の取付位置を漸次高い位置に変更することができる。
【００３７】
図７は本発明の第３実施形態を示す。図の実施の形態によれば、棚体３０は前記第１、第２実施形態よりも高さが小さいだけで全体的に前記棚体２と相似する寸法であり、この棚体３０を２段重ねて机下に固定したものであるほかは前記第１、第２実施形態と同様である。
本実施形態では、使用者の成長に合わせて最初に下部側の棚体３０を机下から取外し、この棚体３０を細幅の物入れまたは本箱として活用でき、更に成長に伴い上の棚体３０も取外すことにより２連の幅広状の物入れまたは本棚として更に活用できる。
【００３８】
図８は本発明の第４実施形態を示す。図の実施の形態によれば、棚体２は、その前後縁が直線状とされている。
本実施形態では、棚体２を左右に入れ替えて机本体１の下部に固定する意味はない。しかしながら、上記各実施形態のように、棚体２を、机本体１の周囲或いは天板上に置いて、本棚或いは物入れとして使用できる。棚体２の机本体１への取付位置を、上下に調整し、或いは、棚板を複数積み重ねて結合して使用することもできる。
【図面の簡単な説明】
【００３９】
【図１】本発明の第１実施形態に係る机ユニットの平面図、正面図及び側面図である。
【図２】（ａ）〜（ｃ）は同机を右袖机に適用した場合の組立手順を示す斜視図である。
【図３】（ａ）〜（ｃ）は同机を左袖机に適用した場合の組立手順を示す斜視図である。
【図４】（ａ）は棚体を本棚として机の片側部に配置した状態を示す斜視図、（ｂ）は同本棚に間仕切り棚板を配置した場合の応用例を示す斜視図である。
【図５】棚体を本棚として机の片側部に配置した場合を示す他の例を示す斜視図である。
【図６】（ａ），（ｂ）は本発明の第２実施形態に係る机ユニットの正面図及び側面図である。
【図７】本発明の第３実施形態に係る机ユニットの平面図、側面図及び分解斜視図である。
【図８】本発明の第４実施形態に係る机ユニットの平面図である。
【符号の説明】
【００４０】
１  机本体
２，３０  棚体
３  ワゴン
４  椅子
６  側板
７  天板
８  背板
１０  棚板、１０ａ  一側部分、１０ｂ  他側部分
１１，１２  端板
１３  縦仕切板
１４  背板
１５  棚体側取付部（取付孔）
１６  机本体側取付部（埋込みナット）
２１  連結手段（ボルト）
【図１】
2006068382.tif 000003
【図２】
2006068382.tif 000004
【図３】
2006068382.tif 000005
【図４】
2006068382.tif 000006
【図５】
2006068382.tif 000007
【図６】
2006068382.tif 000008
【図７】
2006068382.tif 000009
【図８】
2006068382.tif 000010